(57)【特許請求の範囲】
【請求項１】
仮出口が設けられた本体と、前記仮出口を塞ぐ舌片が設けられた蓋とを有するプロテクタであって、
前記舌片は、その内面が前記本体の外面に当接するように前記本体に対して段違いとなっており、
前記本体の外側には、前記舌片が差し込まれる舌片受け部材が当該本体との間に舌片差込空間を形成するように設けられ、
前記舌片によって圧壊されうる形状に形成されたリブが前記舌片差込空間に突出して形成されていることを特徴とするプロテクタ。
【請求項２】
前記リブは、前記舌片受け部材の内周面に設けられていることを特徴とする請求項１に記載のプロテクタ。
【請求項３】
前記舌片受け部材の差込端面には、前記舌片を前記舌片差込空間に誘導するテーパー面が形成されていることを特徴とする請求項１又は２に記載のプロテクタ。
【発明の詳細な説明】
【技術分野】
【０００１】
本発明は、ワイヤーハーネス配索治具上に設置されてワイヤーハーネスが配索されるプロテクタに関するものである。
【背景技術】
【０００２】
図８は従来のプロテクタを例示する斜視図、図９は図８に示すプロテクタの２つの使用状態を示す断面図である。
【０００３】
従来、この種のプロテクタ１としては、図８に示すように、所定形状（例えば、Ｌ字状）に屈曲した樋状の本体２に蓋１０が着脱自在に取り付けられ、本体２に本出口４および仮出口５が形成されるとともに、この仮出口５を塞ぐ舌片１１が蓋１０に形成されたものが用いられている（例えば、特許文献１参照）。そして、このプロテクタ１にワイヤーハーネスを配索する際には、まず、ワイヤーハーネスを仮出口５から飛び出させて直線状に仮配置し、次いで、このワイヤーハーネスを屈曲させて本出口４から飛び出させる形で正規位置に配置して本体２に収納した後、本体２に蓋１０を被せて取り付けていた。
【特許文献１】特開２００４−１６６４６１号公報
【発明の開示】
【発明が解決しようとする課題】
【０００４】
しかし、これでは、ワイヤーハーネスの配索時に本体２の仮出口５からワイヤーハーネスを飛び出させる必要があることから、必然的に仮出口５を低く形成せざるを得ない。
【０００５】
そのため、本体２にワイヤーハーネスを収納してから蓋１０を取り付けるときに、図９（ａ）に示すように、ワイヤーハーネスの電線１５が本体２内でばらけて仮出口５の上側に位置し、舌片１１が電線１５を噛み込む恐れがある。
【０００６】
また、本体２に蓋１０を取り付けた後に、図９（ｂ）に示すように、蓋１０が内側からワイヤーハーネスの電線１５に押されて外向きに膨らむように撓み、舌片１１と本体２との隙間から電線１５が外へ飛び出す危険性がある。
【０００７】
本発明は、このような事情に鑑み、ワイヤーハーネスの電線の噛み込みや飛び出しを防止することが可能なプロテクタを提供することを目的とする。
【課題を解決するための手段】
【０００８】
まず、請求項１に係るプロテクタの発明では、仮出口が設けられた本体と、前記仮出口を塞ぐ舌片が設けられた蓋とを有するプロテクタであって、前記舌片は、その内面が前記本体の外面に当接するように前記本体に対して段違いとなっており、前記本体の外側には、前記舌片が差し込まれる舌片受け部材が当該本体との間に舌片差込空間を形成するように設けられ、前記舌片によって圧壊されうる形状に形成されたリブが前記舌片差込空間に突出して形成されていることを特徴とする。
また、請求項２に係るプロテクタの発明では、前記リブは、前記舌片受け部材の内周面に設けられていることを特徴とする。
また、請求項３に係るプロテクタの発明では、前記舌片受け部材の差込端面には、前記舌片を前記舌片差込空間に誘導するテーパー面が形成されていることを特徴とする。
【発明の効果】
【０００９】
本発明によれば、本体に対して舌片が段違いとなっていることから、本体にワイヤーハーネスを収納してから蓋を取り付けるときに、ワイヤーハーネスの電線がばらけて仮出口の上側に位置しても、舌片が電線を噛み込む事態を防止することができる。
【００１０】
また、本体に蓋を取り付けると、舌片受け部材に舌片が差し込まれた状態となるので、舌片は内側からワイヤーハーネスの電線に押されても撓まなくなる。そのため、本体に蓋を取り付けた後に舌片と本体との隙間から電線が外へ飛び出す事態を防止することができる。
【発明を実施するための最良の形態】
【００１１】
以下、本発明の実施形態を図面に基づいて説明する。
【００１２】
＜第１の実施形態＞
図１は本発明に係るプロテクタの第１の実施形態を示す斜視図、図２は図１に示すプロテクタの仮出口の平面図、図３は図１に示すプロテクタの使用状態を示す断面図である。
【００１３】
プロテクタ１は、図１に示すように、Ｌ字状に屈曲した合成樹脂（例えば、ポリプロピレン、ポリエチレンなど）からなる樋状の本体２を有しており、本体２には、複数個の係合片３が形成されているとともに、本出口４が形成されている。また、本体２の側壁には仮出口５が形成されており、仮出口５の下方にはポケット状の舌片受け部材６が、本体２との間に舌片差込空間９を形成する形で本体２と一体に取り付けられている。舌片受け部材６の内周面には、図２に示すように、後述する舌片１１によって圧壊されうる２個のリブ７が舌片差込空間９に突出して形成されており、舌片受け部材６の差込端面には、舌片差込空間９に向けて傾斜するテーパー面８が形成されている。
【００１４】
また、本体２の上側には、図１に示すように、合成樹脂（例えば、ポリプロピレン、ポリエチレンなど）からなるＬ字状の蓋１０が着脱自在に取り付けられており、蓋１０には、本体２の係合片３に係合しうる複数個の係合爪１４が一体に形成されている。さらに、蓋１０には舌片１１が、図３に示すように、本体２の外面に当接した状態で舌片差込空間９に差し込まれるように本体２に対して段違いとなる形で垂設されている。
【００１５】
プロテクタ１は以上のような構成を有するので、このプロテクタ１にワイヤーハーネスを配索する際には、次の手順による。
【００１６】
まず、ワイヤーハーネスを仮出口５から飛び出させて直線状に仮配置し、次いで、このワイヤーハーネスを屈曲させて本出口４から飛び出させる形で正規位置に配置して本体２に収納する。その後、本体２に蓋１０を被せ、各係合爪１４を各係合片３に差し込んで係合させる。すると、蓋１０は本体２に取り付けられてロックされ、舌片１１は２個のリブ７を圧壊しつつ舌片差込空間９に差し込まれて仮出口５を塞いだ状態となる。
【００１７】
このとき、舌片１１は、図３に示すように、本体２に対して段違いとなっているので、たとえワイヤーハーネスの電線１５がばらけて仮出口５の上側に位置しても、舌片１１が電線１５を噛み込む事態を防止することができる。また、舌片受け部材６の差込端面にはテーパー面８が形成されているので、舌片１１は舌片差込空間９に円滑に誘導される。さらに、舌片１１はリブ７を圧壊しつつ舌片差込空間９に差し込まれるので、舌片１１は舌片受け部材６に強固に保持される。しかも、このリブ７は舌片受け部材６の内周面に形成されているので、舌片１１は本体２側に押し付けられ、舌片１１と本体２との間に隙間が発生しなくなる。
【００１８】
また、こうして本体２に蓋１０が取り付けられると、舌片受け部材６に舌片１１が差し込まれた状態となるので、舌片１１は内側からワイヤーハーネスの電線１５に押されても撓まなくなる。そのため、本体２に蓋１０を取り付けた後に舌片１１と本体２との隙間から電線１５が外へ飛び出す事態を防止することができる。
【００１９】
＜第２の実施形態＞
図４は本発明に係るプロテクタの第２の実施形態を示す図であって、（ａ）はその外側から見た要部斜視図、（ｂ）はその要部断面図である。
【００２０】
上述の実施形態においては、ポケット状の舌片受け部材６を備えた本体２について説明したが、舌片受け部材６の形状はポケット状に限るわけではない。例えば、図４に示すように、Ｌ字断面フック状の舌片受け部材６を代用することも可能である。
【００２１】
＜第３の実施形態＞
図５は本発明に係るプロテクタの第３の実施形態を示す図であって、（ａ）はその外側から見た要部斜視図、（ｂ）はその要部断面図である。
【００２２】
上述の実施形態においては、係合爪１４を係合片３に係合させることにより、蓋１０を本体２にロックする場合について説明したが、舌片受け部材６に対する舌片１１のロック機能を高めるべく、図５に示すように、舌片受け部材６をコの字状に形成し、舌片１１の先端にロック爪１２を形設しても構わない。この場合、本体２に蓋１０を取り付けると、ロック爪１２が舌片受け部材６に係合してロックされるので、舌片受け部材６に対する舌片１１のロック機能が向上する。
【００２３】
＜第４の実施形態＞
図６は本発明に係るプロテクタの第４の実施形態を示す図であって、（ａ）はその内側から見た要部斜視図、（ｂ）はその要部断面図である。
【００２４】
上述の実施形態においては、蓋１０に舌片１１が垂設されたプロテクタ１について説明したが、図６に示すように、舌片１１の裏面に２枚の三角形板状の電線誘導板１３を設けてもよい。この場合、本体２に蓋１０を取り付けるときに、図６（ｂ）に示すように、ワイヤーハーネスの電線１５が電線誘導板１３に導かれる形でプロテクタ１の内側へ移動するので、電線１５がばらけるのを抑制することができる。
【００２５】
＜第５の実施形態＞
図７は本発明に係るプロテクタの第５の実施形態を示す要部平面図である。
【００２６】
上述の実施形態においては、舌片１１を強固に保持すると同時に、舌片１１と本体２との隙間をなくすため、舌片受け部材６の内周面に２個のリブ７を形成する場合について説明した。しかし、舌片１１を強固に保持するだけで足りるのであれば、リブ７の形成位置は、舌片差込空間９に突出して形成されている限り、どこでも構わない。例えば、図７に示すように、本体２の側壁にリブ７を形成することも可能である。また、リブ７の個数は２個に限るわけではない。例えば、図７に示すように、３個のリブ７を形成しても構わない。
【００２７】
＜その他の実施形態＞
上述の実施形態においては、Ｌ字状に屈曲した本体２を有するプロテクタ１について説明したが、本体２の形状はＬ字状に限るわけではなく、他の形状（例えば、Ｖ字状、Ｓ字状、Ｔ字状、クランク状、三次元曲線状など）の本体２を備えたプロテクタ１に本発明を適用することもできる。
【００２８】
上述の実施形態においては、ワイヤーハーネスの電線１５の飛び出しを防止するため、本体２に舌片受け部材６を設けた場合について説明したが、電線１５の噛み込みを防止するだけで足りるのであれば、舌片受け部材６を省くこともできる。この場合、舌片受け部材６を設ける必要がなくなるので、その分だけプロテクタ１の製造コストを削減することができる。
【００２９】
上述の実施形態においては、舌片受け部材６の差込端面にテーパー面８が形成されているプロテクタ１について説明したが、このテーパー面８に代えて、或いは、このテーパー面８に加えて、舌片１１の差込端面にテーパー面（図示せず）を同様に形成しても構わない。
【００３０】
上述の実施形態においては、合成樹脂製の本体２および蓋１０を備えたプロテクタ１について説明したが、本体２や蓋１０の材質は合成樹脂に限るわけではなく、他の材質を代用することもできる。
【産業上の利用可能性】
【００３１】
本発明は、自動車、航空機、電車、製造プラント、電化製品、ＯＡ機器など各種の産業分野に広く適用することができる。
【図面の簡単な説明】
【００３２】
【図１】本発明に係るプロテクタの第１の実施形態を示す斜視図である。
【図２】図１に示すプロテクタの仮出口の平面図である。
【図３】図１に示すプロテクタの使用状態を示す断面図である。
【図４】本発明に係るプロテクタの第２の実施形態を示す図であって、（ａ）はその外側から見た要部斜視図、（ｂ）はその要部断面図である。
【図５】本発明に係るプロテクタの第３の実施形態を示す図であって、（ａ）はその外側から見た要部斜視図、（ｂ）はその要部断面図である。
【図６】本発明に係るプロテクタの第４の実施形態を示す図であって、（ａ）はその内側から見た要部斜視図、（ｂ）はその要部断面図である。
【図７】本発明に係るプロテクタの第５の実施形態を示す要部平面図である。
【図８】従来のプロテクタを例示する斜視図である。
【図９】図８に示すプロテクタの２つの使用状態を示す断面図である。
【符号の説明】
【００３３】
１……プロテクタ
２……本体
３……係合片
４……本出口
５……仮出口
６……舌片受け部材
７……リブ
８……テーパー面
９……舌片差込空間
１０……蓋
１１……舌片
１２……ロック爪
１３……電線誘導板
１４……係合爪
１５……電線
【図１】
0004607819.tif 000002
【図２】
0004607819.tif 000003
【図３】
0004607819.tif 000004
【図４】
0004607819.tif 000005
【図５】
0004607819.tif 000006
【図６】
0004607819.tif 000007
【図７】
0004607819.tif 000008
【図８】
0004607819.tif 000009
【図９】
0004607819.tif 000010